(57)【要約】【課題】製造工程や構造を簡略化でき、耐久性も好適に維持できるガス器具の表示装置を提供する。【解決手段】テーブルコンロの器体内に、コンロバーナの燃焼状態で発光し、押しボタン２の後退位置で器体内から押しボタン２の表面に光を照射可能なＬＥＤ８を配置した。よって、ユーザーは、発光部ＬによってテーブルコンロのＯＮ作動状態を容易に視認可能となる。【選択図】図１
2007240032.tif 000002
【特許請求の範囲】
【請求項１】
作動状態がＯＦＦとなる第一の位置から、作動状態をＯＮさせる第二の位置へ移動操作可能な操作部材を有するガス器具において、そのＯＮ作動状態を表示するための表示装置であって、
前記ガス器具の器体内に、ＯＮ作動状態で発光し、前記操作部材の第二の位置で前記器体内から前記操作部材の表面に光を直接的又は間接的に照射可能な発光体を配置したことを特徴とするガス器具の表示装置。
【請求項２】
操作部材を、器体の前面側に突出する第一の位置から、前記器体の内部側に後退する第二の位置へ移動操作される押しボタンとした請求項１に記載のガス器具の表示装置。
【発明の詳細な説明】
【技術分野】
【０００１】
本発明は、テーブルコンロ等のガス器具において、そのＯＮ作動状態を表示するために設けられる表示装置に関する。
【背景技術】
【０００２】
例えばテーブルコンロでは、器体の正面に操作部材としてバーナ点火用の操作ボタンが設けられる。この操作ボタンを押し込み操作することで、バーナへのガス供給路に設けられた弁が開き、コントローラがバーナの点火制御を行ってＯＮ作動状態となる。
このＯＮ作動状態をユーザーが容易に視認可能とするために、テーブルコンロには表示装置が設けられている。この表示装置としては、例えば特許文献１に示すように、操作ボタンの裏側に発光ユニットを設けて操作ボタンに設けた窓に近接させ、バーナの燃焼中は制御回路によって発光ユニットを発光させるようにしたものが知られている。
【０００３】
【特許文献１】特開平９−１７８１７９号公報
【発明の開示】
【発明が解決しようとする課題】
【０００４】
この表示装置においては、操作ボタンに窓を形成する必要があるため、バリ取り等の余計な工程が増えることになる。また、構造によっては塵埃や噴きこぼれ等による異物の侵入防止のためにシール手段も必要となり、部品点数や組み付けの手間がさらに増加してコストアップにも繋がってしまう。
さらに、前後動する操作ボタンに発光ユニットが設けられるため、電気コードの引き回しに注意を要し、耐久性低下のおそれは解消できない。
【０００５】
そこで、本発明は、製造工程や構造を簡略化でき、耐久性も好適に維持できるガス器具の表示装置を提供することを目的としたものである。
【課題を解決するための手段】
【０００６】
上記目的を達成するために、請求項１に記載の発明は、ガス器具の器体内に、ＯＮ作動状態で発光し、操作部材の第二の位置で器体内から操作部材の表面に光を直接的又は間接的に照射可能な発光体を配置したことを特徴とするものである。
請求項２に記載の発明は、請求項１の目的に加えて、発光体の光を操作部材の表面へ簡単に照射可能とするために、操作部材を、器体の前面側に突出する第一の位置から、器体の内部側に後退する第二の位置へ移動操作される押しボタンとしたものである。
【発明の効果】
【０００７】
請求項１に記載の発明によれば、発光体の光を操作部材の表面へ照射することで、操作部材に窓等の加工やシールが不要となる。よって、余計な製造工程や部品が省略でき、製造コストの低減にも繋がる。また、器体のフラット感が高まって見栄えがよくなり、デザイン的にも優れたものとなる。
そして、発光体を操作部材側に設けないため、操作部材の動作に関係なく電気コードの引き回しが容易となる上、電気コードの耐久性も好適に維持可能となる。
請求項２に記載の発明によれば、請求項１の効果に加えて、押しボタン式の操作部材によって第二の位置で操作部材の前方へ自然に生じる空間を利用して発光体の光を操作部材の表面へ簡単に照射することができる。
【発明を実施するための最良の形態】
【０００８】
以下、本発明の実施の形態を図面に基づいて説明する。
図１は、ガス器具としてのテーブルコンロにおける表示装置の一例を示す説明図で、１は、テーブルコンロの器体前面に設けられた正面パネル、２は正面パネル１の開口部３に設けられた操作部材としての押しボタンである。押しボタン２は、平面部４と、その平面部４の下方にあって前方へ膨出する押圧部５とからなる逆Ｌ字状に形成されて、正面パネル１の裏側上方で左右方向に支持された回転軸６の両端から垂下する左右のアーム７，７により、回転軸６を中心に、平面部４の前面が正面パネル１の前面と面一となる同図（Ａ）の前方位置（第一の位置）と、押圧部５が正面パネル１の前面よりも後退する同図（Ｂ）の後方位置（第二の位置）との間で前後へ揺動可能に支持されている。
【０００９】
押しボタン２の奥側には、ガス管が接続されてコンロバーナへのガス供給路を有する周知の点滅器（図示せず）が設けられて、ガス供給路を開閉するメイン弁が設けられたスピンドルが、閉弁方向となる前方側に付勢されている。押しボタン２は、テーブルコンロ内で図示しない連結部材を介してスピンドル側と連結されており、常態では前方位置へ付勢されるようになっている。ここから押しボタン２を押し込み操作すると、スピンドルが後退してメイン弁が開き、コンロバーナへ燃料ガスが供給されると共に、押し込み操作をマイクロスイッチで検知したコントローラがコンロバーナの点火制御を行い、コンロバーナを燃焼させる。押しボタン２は、連結部材が点滅器との間に設けられた図示しないカム機構によってスピンドルの押し込み位置で保持されることから、同様に後方位置で保持される。
【００１０】
一方、正面パネル１の裏側で開口部３の上端際には、発光体となるＬＥＤ８が下向きに設置されている。このＬＥＤ８は、コントローラに接続されて、ＯＮ作動状態となるコンロバーナの燃焼中はコントローラによって通電が維持されて点灯するようになっている。よって、ＬＥＤ８からの光は下向きに照射されることになるが、コンロバーナの燃焼中は押しボタン２は後方位置にあって平面部４がＬＥＤ８の下方から後方へ退避していることから、図１（Ｂ）に示すようにＬＥＤ８からの光は、押しボタン２の前方空間を通って押圧部５の上面に照射されることになる。なお、９はＬＥＤ８の下方で開口部３の上端縁へ水平に固着される案内板で、ＬＥＤ８の真下に当たる位置に形成された透孔１０により、ＬＥＤ８の光を押圧部５の上面に案内している。
【００１１】
以上の如く構成された表示装置においては、押圧部５により押しボタン２を押し込んでコンロバーナを燃焼させると、図２に示すように正面パネル１裏側のＬＥＤ８が点灯して、押しボタン２の押圧部５上に円形の発光部Ｌを形成する。よって、ユーザーは、発光部ＬによってテーブルコンロのＯＮ作動状態を容易に視認可能となる。
【００１２】
このように上記形態のテーブルコンロの表示装置によれば、テーブルコンロの器体内に、ＯＮ作動状態で発光し、押しボタン２の後退位置で器体内から押しボタン２の表面に光を照射可能なＬＥＤ８を配置したことで、押しボタン２に窓等の加工やシールが不要となるため、余計な製造工程や部品が省略でき、製造コストの低減にも繋がる。また、正面パネル１全体のフラット感が高まって見栄えがよくなり、デザイン的にも優れたものとなる。
そして、ＬＥＤ８を押しボタン２側に設けないため、押しボタン２の揺動に関係なく電気コードの引き回しが容易となる上、電気コードの耐久性も好適に維持可能となる。
特に、操作部材を、器体の前面側に突出する第一の位置から、器体の内部側に後退する第二の位置へ移動操作される押しボタン２としたことで、後退位置で押しボタン２の前方へ自然に生じる空間を利用してＬＥＤ８の光を押しボタン２の表面へ簡単に照射することができる。
【００１３】
以下、変更例について説明する。
まず、案内板９に代えて、図３に示すように、例えば魚の形状等の所定の形状の窓１２を有する透過板１１を用いることもできる。この場合、押しボタン２の表面に形成される発光部Ｌが魚形となり、グリルバーナの押しボタンに採用すればコンロ用のものと容易に区別できる。勿論魚形以外の他の形状でも差し支えない。
また、案内板や透過板を用いなくても、蛍光インクや燐光インク等の特殊インクを用いて操作部材の表面に円形や魚形等を印刷しておき、ブラックライトやＵＶ光、赤外線光等の光を照射することにより印刷部分を発光させることも考えられる。この場合、より発光部が明確となって視認性が高まる。
【００１４】
そして、操作部材も、上記形態では揺動によって前後する構造となっているが、回転軸を操作部材に直接設ける等、揺動構造は上記形態に限定するものではない。また、操作部材自体の形状も、上記形態に限らず、押圧部をなくして平面や傾斜面にして発光体を斜め後ろ向きに傾けて照射させたり、円錐形状や四角錐形状としたり等、適宜変更可能である。勿論操作部材の前後動も、揺動構造の他、前後方向へ直線的に押し込むタイプや、下方へ押し下げて点火させるタイプ等、点火操作によって器体内から光の照射が可能なものであれば、動作形態は限定しない。
【００１５】
よって、ＬＥＤ等の発光体も、操作部材の上方からに限らず、側方や下方から等、操作部材の形状や動作形態に合わせて設置位置は適宜変更可能である。さらに、発光体は操作部材の近傍に設けて光を直接照射させるものに限らず、光ファイバを介在させたり、反射板を介在させたエッジライティング方式としたりして間接的な照射とすれば、操作部材から離れた器体内の任意の位置に設けることができる。
一方、発光体の発光も、操作部材の操作時点からバーナの点火動作までの間と、バーナの燃焼中とで発光状態（明るさや点灯、点滅）を代えたり、発光体を複数設けて色や照射位置を代えたりしてＯＮ作動状態の段階に応じてパターンの変更を図ってもよい。
その他、ガス器具としてはテーブルコンロに限らず、グリルやオーブン等であっても本発明は採用可能である。
【図面の簡単な説明】
【００１６】
【図１】表示装置の一例を示す説明図で、（Ａ）がＯＦＦ作動状態、（Ｂ）がＯＮ作動状態を夫々示す。
【図２】ＯＮ作動状態の表示装置の斜視図である。
【図３】表示装置の変更例を示す斜視図である。
【符号の説明】
【００１７】
１・・正面パネル、２・・押しボタン、３・・開口部、４・・平面部、５・・押圧部、８・・ＬＥＤ、１１・・透過板。
【図１】
2007240032.tif 000003
【図２】
2007240032.tif 000004
【図３】
2007240032.tif 000005